(57)【要約】【課題】  簡単な構造で光ピックアップ付近の内部に空気流を発生して内部の温度上昇を抑えることができる光ディスク記録装置を提供する。【解決手段】  スピンドルモーター６の軸の上端のターンテーブル７とターンテーブル７の上側に掛け渡されたキャッチャーホルダー２に設けられたクランパ５とでトレー１上のディスクＤをチャッキングしてスピンドルモーターの回転でディスクを回転し、トレーにおけるディスクのチャッキング部分の前方に設けられた開口部１ａの下側に配置された光ピックアップ３でディスクを記録再生し、キャッチャーホルダーの中央部からトレーの開口部側に向けてピックアップカバー４を延設し、ピックアップカバーにおけるディスクの回転する側に下向きに羽根部８を延設し、ディスクの回転によって生じる空気流をピックアップカバーの羽根部で受けて開口部を通して光ピックアップ部分に送り込むようにした。【選択図】  図１
2006179075.tif 000002
【特許請求の範囲】
【請求項１】
ディスクがトレーにセットされた状態でスピンドルモーターの軸に設けられたターンテーブルとこのターンテーブルの上側に掛け渡された金属製のキャッチャーホルダーに設けられたクランパとで前記ディスクをチャッキングして前記スピンドルモーターの回転で前記ターンテーブルとクランパでチャッキングされた前記ディスクを回転し、前記トレーにおけるディスクのチャッキング部分から前方に設けられた開口部の下側に配置された光ピックアップで前記ディスクを記録再生するようにした光ディスク記録装置において、前記金属製のキャッチャーホルダーの中央部から前記トレーの開口部側に向けてピックアップカバーを一体に延設し、このピックアップカバーにおける前記ディスクの回転する側に下向きに羽根部を延設し、前記ディスクの回転によって生じる空気流を前記ピックアップカバーの羽根部で受けて、この空気流を前記開口部を通して光ピックアップ部分に送り込むように構成したことを特徴とする光ディスク記録装置。
【請求項２】
ディスクがトレーにセットされた状態でスピンドルモーターの軸に設けられたターンテーブルとこのターンテーブルの上側に掛け渡された金属製のキャッチャーホルダーに設けられたクランパとで前記ディスクをチャッキングして前記スピンドルモーターの回転で前記ターンテーブルとクランパでチャッキングされた前記ディスクを回転し、前記トレーにおけるディスクのチャッキング部分から前方に設けられた開口部の下側に配置された光ピックアップで前記ディスクを記録再生するようにした光ディスク記録装置において、前記金属製のキャッチャーホルダーの中央部から前記トレーの開口部側に向けてピックアップカバーを一体に延設したことを特徴とする光ディスク記録装置。
【請求項３】
前記ピックアップカバーが金属からなる請求項２に記載の光ディスク記録装置。
【請求項４】
前記トレーは筐体内に配設され、前記筐体内における前記トレーの側部にメイン基板が配設されており、前記ピックアップカバーにおける前記ディスクの回転方向と向き合う側に斜め下向きに羽根部が設けられ、前記ディスクの回転によって生じる空気流を斜め上向きにして前記メイン基板側にこの空気流を送り込むように構成した請求項２又は３に記載の光ディスク記録装置。
【請求項５】
前記金属製のキャッチャーホルダーにおける前記ディスクの回転と向き合う側であって前記メイン基板側の位置に斜め下向きに羽根部が設けられ、前記ディスクの回転によって生じる空気流を斜め上向きにして前記メイン基板側にこの空気流を送り込むように構成した請求項４に記載の光ディスク記録装置。
【発明の詳細な説明】
【技術分野】
【０００１】
本発明は、ディスクをセットするトレーに金属性のキャッチャーホルダーが掛け渡され、ターンテーブルとキャッチャーホルダーの中央部のクランパとでディスクをチャッキングしてスピンドルモーターの回転でターンテーブルを回転し、トレーの開口部の下側に配置された光ピックアップでディスクを記録再生するようにした光ディスク記録装置に関するものである。
【背景技術】
【０００２】
一般に、この種の光ディスク装置は、図５に示すように、トレー１０１におけるディスクDをセットする部分から前方に向けて設けられた開口部１０２の下側に光ピックアップ１０３が配置されている。従来は、トレー１０１の開口部１０２側の上側に、光ピックアップ１０３から発せられるレーザーを直視できないように樹脂カバー１０４がビス２本で取り付けられていた。ところが、樹脂カバー１０４で覆われていたために、光ピックアップ１０３からの熱がこもって内部の温度が上昇してしまうという問題があった。
【０００３】
第１の従来技術を図６、図７に示す。この従来のディスク装置は、図６、図７に示すように、クランパ２０４を保持し装置外筐の一部を構成するカバー２１２のディスク対向面側、またはクランパ２０４を保持したクランパホルダのディスク対向面側に、所定高さの突堤２１２ｂを設けるとともに、この突堤２１２ｂのディスク側端面とターンテーブル２０３に装着されたディスク２０１との間の隙間を、３ｍｍ以下となるようにし、また、装置の外筐の一部を構成するフロントパネル２１４に形成したトレイ２０２が出入りするための開口の周りに、トレイ２０２が装置内に完全に収納された際に、開口の周りとトレイパネル２０２ｃとの間に隙間ができないように気密状態に保つための、パッキン部材を設け、さらに、トレイ２０２上のディスク２０１が載置される側の面の少なくとも一部には、高さ０．１ｍｍの以上の凸をもつ凹凸領域２９１を設けたものである。（例えば、特許文献１参照）。
【０００４】
ところが、この従来のディスク装置は、ディスク２０１の回転で生じる流体音を抑制するものであって、内部の温度上昇を抑制するものではなかった。
【０００５】
第２の従来技術を図８、図９に示す。この従来の光ディスク装置は、図８、図９に示すように、フレーム３１０の左右側壁３２０，３２２の上縁部には、切り欠き３２４，３２６が形成されている。切り欠き３２４，３２６には、クランパホルダ３２８がその長手方向両端部を載置固定して、取り付けられている。クランパ３３０を挟んでその両側の面部分３２８ａ，３２８ｂには、ディスク回転に伴い発生する空気流の流出端側の縁部に、平面形状が波状に構成された繰り返し形状３３２，３３４が整流器としてそれぞれ形成されている。（例えば、特許文献２参照）。
【０００６】
ところが、この従来の光ディスク装置は、空気流を整えて振動を抑制し、騒音がしないようにしたものであって、内部の温度上昇を抑制するものではなかった。
【特許文献１】特開２００１−１６０２８３号公報
【特許文献２】特開２００３−１２３４５５号公報
【発明の開示】
【発明が解決しようとする課題】
【０００７】
本発明は、上記した従来の問題に鑑みてなされたものであって、簡単な構造で光ピックアップ付近の内部に空気流を送り込んで内部の温度上昇を抑えることができ、また、簡単な構造でトレイが配置される筐体内のメイン基板付近の温度の上昇を抑えることができる光ディスク記録装置を提供することを目的としている。
【課題を解決するための手段】
【０００８】
本発明は、上記課題を解決するために提案されたものであって、請求項１に記載の発明は、ディスクがトレーにセットされた状態でスピンドルモーターの軸に設けられたターンテーブルとこのターンテーブルの上側に掛け渡された金属製のキャッチャーホルダーに設けられたクランパとで前記ディスクをチャッキングして前記スピンドルモーターの回転で前記ターンテーブルとクランパでチャッキングされた前記ディスクを回転し、前記トレーにおけるディスクのチャッキング部分から前方に設けられた開口部の下側に配置された光ピックアップで前記ディスクを記録再生するようにした光ディスク記録装置において、前記金属製のキャッチャーホルダーの中央部から前記トレーの開口部側に向けてピックアップカバーを一体に延設し、このピックアップカバーにおける前記ディスクの回転する側に下向きに羽根部を延設し、前記ディスクの回転によって生じる空気流を前記ピックアップカバーの羽根部で受けて、この空気流を前記開口部を通して光ピックアップ部分に送り込むように構成したことを特徴としている。
【０００９】
請求項２に記載の発明は、ディスクがトレーにセットされた状態でスピンドルモーターの軸に設けられたターンテーブルとこのターンテーブルの上側に掛け渡された金属製のキャッチャーホルダーに設けられたクランパとで前記ディスクをチャッキングして前記スピンドルモーターの回転で前記ターンテーブルとクランパでチャッキングされた前記ディスクを回転し、前記トレーにおけるディスクのチャッキング部分から前方に設けられた開口部の下側に配置された光ピックアップで前記ディスクを記録再生するようにした光ディスク記録装置において、前記金属製のキャッチャーホルダーの中央部から前記トレーの開口部側に向けてピックアップカバーを一体に延設したことを特徴としている。
【００１０】
請求項３に記載の発明は、前記ピックアップカバーが金属からなるものである。
【００１１】
請求項４に記載の発明は、前記トレーは筐体内に配設され、前記筐体内における前記トレーの側部にメイン基板が配設されており、前記ピックアップカバーにおける前記ディスクの回転方向と向き合う側に斜め下向きに羽根部が設けられ、前記ディスクの回転によって生じる空気流を斜め上向きにして前記メイン基板側にこの空気流を送り込むように構成した。
【００１２】
請求項５に記載の発明は、前記金属製のキャッチャーホルダーにおける前記ディスクの回転と向き合う側であって前記メイン基板側の位置に斜め下向きに羽根部が設けられ、前記ディスクの回転によって生じる空気流を斜め上向きにして前記メイン基板側にこの空気流を送り込むように構成した。
【発明の効果】
【００１３】
請求項１に記載の発明によれば、金属性のキャッチャーホルダーの中央部から延設されたピックアップカバーで光ピックアップからのレーザーを直視することを防ぐことができ、しかも簡単な構造とすることができる。また、ピックアップカバーに一体に設けられた羽根部でディスクの回転で生じる空気流を下側の開口部に通して光ピックアップ部分の内部の温度上昇をこの空気流で抑えることができる。更に、羽根部はピックアップカバーに一体に設けられているので、作業工数を削減することができる。
【００１４】
請求項２に記載の発明によれば、金属性のキャッチャーホルダーの中央部から延設されたピックアップカバーで光ピックアップからのレーザーを直視することを防ぐことができ、しかも簡単な構造とすることができる。また、このピックアップカバーを設けたので、従来樹脂カバーを設けたものと比較して温度上昇を抑制することができる。
【００１５】
請求項３に記載の発明によれば、ピックアップカバーが金属からなるものであるから、光ピックアップからの熱を吸収して外部に放熱することができ、光ピックアップ部分の温度上昇をより一層抑えることができる。
【００１６】
請求項４に記載の発明によれば、ピックアップカバーにおけるディスクの回転と向き合う側に設けられた羽根部で、ディスクの回転で生じる空気流を筐体内のメイン基板側に送り込むことができるので、発熱部品が取り付けられたメイン基板側の温度の上昇をこの空気流で抑えることができる。
【００１７】
請求項５に記載の発明によれば、キャッチャーホルダーにおけるディスクの回転と向き合う側に設けられた羽根部によって、ディスクの回転による空気流を筐体内のメイン基板側に送り込むことができるので、発熱部品を有するメイン基板側の温度の上昇をこの空気流でより一層抑制することができる。よって、メイン基板側の温度の上昇をファンで抑えなくてもよい。
【発明を実施するための最良の形態】
【００１８】
以下、本発明に係る光ディスク記録装置の実施の形態について、図を参照しつつ説明する。
【００１９】
図１は本発明の第１実施形態の光ディスク記録装置の要部を示す平面図、図２は図１におけるＡ−Ａ線断面図、図３は図１におけるＢ−Ｂ線断面図である。
【００２０】
この第１実施形態の光ディスク記録装置は、図１に示すように、トレー１にディスクＤがセットされるようになっており、このディスクの所定箇所に金属製のキャッチャーホルダー２が掛け渡されている。トレー１におけるディスクＤをセットする中央部分から前部側に光ピックアップ３でディスクＤを記録再生するための開口部１ａが設けられている。本実施形態では、金属性のキャッチャーホルダー２の長手方向中央部より開口部１ａに向けて金属製の板状のピックアップカバー４が一体に延設されている。また、図２、図３に示すように、キャッチャーホルダー２にはクランパ５が下向きに設けられ、このクランパ５の下方には、スピンドルモーター６で回転されるターンテーブル７が設けられている。図示しないが、スピンドルモーター６と光ピックアップ３は上下移動するドライブシャーシーに載置状態で配置されている。更に、ピックアップカバー４におけるディスクＤの回転（図にて時計方向への回転）する側（図にて右側）の縁部から斜め下向きに羽根部８が一体に設けられている。
【００２１】
スピンドルモーター６が上向きに移動すると、このスピンドルモーター６の軸部の上端に設けられたターンテーブル７とクランパ５とでディスクＤがチャッキングされるようになっている。チャッキングした後にスピンドルモーター６の駆動でターンテーブル７を介してディスクＤが回転し、光ピックアップ３でディスクＤを記録再生するようになっている。
【００２２】
この第１実施形態によれば、金属性のキャッチャーホルダー２の中央部から延設されたピックアップカバー４で光ピックアップ３からのレーザーを直視することを防ぐことができ、しかも簡単な構造とすることができる。また、ピックアップカバー４に一体に設けられた羽根部８でディスクＤの回転で生じる空気流を下側の開口部１ａに通して光ピックアップ３部分の内部の温度上昇をこの空気流で抑えることができる。更に、羽根部８はピックアップカバー４に一体に設けられているので、作業工数を削減することができる。
【００２３】
図４は第２実施形態の光ディスク記録装置の平面図である。
【００２４】
この第２実施形態の光ディスク記録装置は、図４に示すように、トレー１は筐体９内に配設されており、トレー１の図にて右側方に発熱部品等が取り付けられたメイン基板１０が配設されている。このメイン基板１０の下側には基板１１が配置されている。ピックアップカバー４におけるディスクＤの回転方向（図にて時計方向）と向き合う側（図にて左側）に斜め下向きに羽根部１２が一体に設けられている。また、キャッチャーホルダー２におけるディスクＤの回転方向（図にて時計方向）と向き合う側（図にて上側）であってメイン基板１０側の位置に、斜め下向きに羽根部１３が一体に設けられている。
【００２５】
この第２実施形態によれば、ディスクＤの回転によって生じる空気流が羽根部１２、１３よって上向きに流れ、更にメイン基板１０側に流れる。従って、これらの空気流によって発熱部品等が取り付けられたメイン基板１０側の温度上昇を抑制することができる。よって、メイン基板１０側の発熱を抑えるためのファンを設けなくてもよい。
【図面の簡単な説明】
【００２６】
【図１】本発明の第１実施形態の光ディスク記録装置の要部を示す平面図である。
【図２】図１におけるＡ−Ａ線断面図である。
【図３】図１におけるＢ−Ｂ線断面図である。
【図４】第２実施形態の光ディスク記録装置の平面図である。
【図５】従来の光ディスク記録装置の部分平面図である。
【図６】従来のディスク装置の縦断面図である。
【図７】図６の部分拡大断面図である。
【図８】従来の光ディスク装置の斜視図である。
【図９】図８の光ディスク装置の部分拡大平面図である。
【符号の説明】
【００２７】
Ｄ          ディスク
１        トレー
１ａ      開口部
２        キャッチャーホルダー
３        光ピックアップ
４        ピックアップカバー
５        クランパ
６        スピンドルモーター
７        ターンテーブル
８        羽根部
９        筐体
１０      メイン基板
１１      基板
１２      羽根部
１３      羽根部
【図１】
2006179075.tif 000003
【図２】
2006179075.tif 000004
【図３】
2006179075.tif 000005
【図４】
2006179075.tif 000006
【図５】
2006179075.tif 000007
【図６】
2006179075.tif 000008
【図７】
2006179075.tif 000009
【図８】
2006179075.tif 000010
【図９】
2006179075.tif 000011